(57)【要約】【課題】所望のボタンを正しく押下できる情報入力装置を提供する。【解決手段】タッチパネルで情報を入力する情報入力装置は、被選択ボタンの押下により入力された入力情報の誤入力を判定する誤入力判定手段２４と、誤入力を判定した場合に、複数のボタン配置パターンの中から１つをユーザーに選択させる初期パターン選択手段３０と、被選択ボタンを起点として一定方向に含まれるボタンに関する情報が記憶されたパターンテーブルを参照することにより、選択されたボタン配置パターンに応じてボタンを拡大する範囲を抽出する拡大範囲抽出手段５０と、拡大する範囲に基づいて複数のボタンの中から対象領域を特定し、対象領域を表示手段１０に拡大して表示させる拡大領域特定手段６０と、パターンテーブルに基づいて、選択された１つのボタン配置パターン以外に選択可能なボタン配置パターンをユーザーに選択させる変更可能パターン選択手段４０と、を備える。【選択図】図１
2011018200.tif 000002
【特許請求の範囲】
【請求項１】
表示手段に複数のボタンを表示し、前記表示手段に配設された位置座標検知手段で指示位置を検知することにより、指示された前記ボタンに対応する情報を入力する情報入力装置であって、
前記複数のボタンの中から選択された被選択ボタンが指示されることで入力された入力情報に対して誤入力を判定する誤入力判定手段と、
前記誤入力判定手段が誤入力を判定した場合に、前記被選択ボタンを所定位置に含む複数のボタン配置パターンの中から、１つのボタン配置パターンをユーザーに選択させるパターン選択手段と、
前記被選択ボタンを起点として一定方向に含まれる前記ボタンに関する情報が記憶された記憶情報を参照することにより、前記パターン選択手段で選択された前記ボタン配置パターンに応じて前記ボタンを拡大する範囲を抽出する拡大範囲抽出手段と、
前記拡大範囲抽出手段で抽出した前記範囲に基づいて、前記複数のボタンの中から対象領域を特定し、特定した前記対象領域を前記表示手段に拡大して表示させる拡大領域特定手段と、
前記記憶情報に基づいて、前記パターン選択手段で選択された前記１つのボタン配置パターン以外に選択可能なボタン配置パターンをユーザーに選択させる変更可能パターン選択手段と、を備えることを特徴とする情報入力装置。
【請求項２】
請求項１に記載の情報入力装置において、
前記変更可能パターン選択手段で前記選択可能なボタン配置パターンの中から第２のボタン配置パターンが選択された場合、
前記拡大範囲抽出手段は、前記記憶情報を参照することにより、前記第２のボタン配置パターンに応じて前記ボタンを拡大する第２の範囲を抽出し、
前記拡大領域特定手段は、前記第２の範囲に基づいて、前記複数のボタンの中から第２の対象領域を特定し、特定した前記第２の対象領域を前記表示手段に表示されている前記対象領域に替えて拡大して表示させることを特徴とする情報入力装置。
【請求項３】
請求項１乃至２のいずれかに記載の情報入力装置において、
前記記憶情報は、前記被選択ボタンが配置された位置に応じて選択可能な前記ボタン配置パターンと、前記ボタン配置パターンに対して前記変更可能パターン選択手段で選択可能な前記第２のボタン配置パターンへの移動方向と、を含むことを特徴とする情報入力装置。
【請求項４】
表示手段に複数のボタンを表示し、前記表示手段に配設された位置座標検知手段で指示位置を検知することにより、指示された前記ボタンに対応する情報を入力する情報入力方法であって、
前記複数のボタンの中から選択された被選択ボタンが指示されることで入力された入力情報に対して誤入力を判定する誤入力判定工程と、
前記誤入力判定工程で誤入力を判定した場合に、前記被選択ボタンを所定位置に含む複数のボタン配置パターンの中から、１つのボタン配置パターンをユーザーに選択させるパターン選択工程と、
前記被選択ボタンを起点として一定方向に含まれる前記ボタンに関する情報が記憶された記憶情報を参照することにより、前記パターン選択工程で選択された前記ボタン配置パターンに応じて前記ボタンを拡大する範囲を抽出する拡大範囲抽出工程と、
前記拡大範囲抽出工程で抽出した前記範囲に基づいて、前記複数のボタンの中から対象領域を特定し、特定した前記対象領域を前記表示手段に拡大して表示させる拡大領域特定工程と、
前記記憶情報に基づいて、前記パターン選択工程で選択された前記１つのボタン配置パターン以外に選択可能なボタン配置パターンをユーザーに選択させる変更可能パターン選択工程と、を備えることを特徴とする情報入力方法。
【発明の詳細な説明】
【技術分野】
【０００１】
本発明は、情報入力装置および情報入力方法に関する。
【背景技術】
【０００２】
指で表示画面をタッチすることで、タッチされた位置に表示されたボタンに対して関連付けられた処理が実行されるタッチパネルは、各種の情報処理装置の入力装置として多用されている。近年では、情報処理装置の機能の多様化や複雑化に伴い、種々の設定を一画面で行う場合、タッチパネルに表示される各ボタンが小さくなると共に、隣接するボタンとの間隔も狭くなるため、ユーザーによるボタンの押し間違えが頻発した。
このような押し間違えを低減すべく、下記特許文献１に示すように、ユーザーが誤った位置のボタンを押下した場合、押下された位置と正しい押下位置との差分を記憶し、以降の押下位置を記憶した差分に基づき補正する情報処理装置が提案されている。
【先行技術文献】
【特許文献】
【０００３】
【特許文献１】特開２００９−９３３６８号公報
【発明の概要】
【発明が解決しようとする課題】
【０００４】
しかしながら、上記の情報処理装置では、押下される位置は補正されるが、表示画面に表示されているボタンの大きさや、隣接するボタンとの間隔は変更されないため、押下領域が小さいボタンや、近接して配置されたボタンの中から、所望のボタンを正しく押下することは難しかった。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報入力装置は、表示手段に複数のボタンを表示し、前記表示手段に配設された位置座標検知手段で指示位置を検知することにより、指示された前記ボタンに対応する情報を入力する情報入力装置であって、前記複数のボタンの中から選択された被選択ボタンが指示されることで入力された入力情報に対して誤入力を判定する誤入力判定手段と、前記誤入力判定手段が誤入力を判定した場合に、前記被選択ボタンを所定位置に含む複数のボタン配置パターンの中から、１つのボタン配置パターンをユーザーに選択させるパターン選択手段と、前記被選択ボタンを起点として一定方向に含まれる前記ボタンに関する情報が記憶された記憶情報を参照することにより、前記パターン選択手段で選択された前記ボタン配置パターンに応じて前記ボタンを拡大する範囲を抽出する拡大範囲抽出手段と、前記拡大範囲抽出手段で抽出した前記範囲に基づいて、前記複数のボタンの中から対象領域を特定し、特定した前記対象領域を前記表示手段に拡大して表示させる拡大領域特定手段と、前記記憶情報に基づいて、前記パターン選択手段で選択された前記１つのボタン配置パターン以外に選択可能なボタン配置パターンをユーザーに選択させる変更可能パターン選択手段と、を備えることを特徴とする。
【０００７】
このような構成によれば、情報入力装置は、入力された情報を誤入力と判定した場合、押下された被選択ボタンが所定位置に含まれるボタン配置パターンをユーザーに選択させ、被選択ボタンを起点として一定方向に含まれるボタンに関する記憶情報を参照することにより、ユーザーが選択したボタン配置パターンに応じて拡大する範囲を抽出し、抽出した範囲に基づき、複数のボタンの中から拡大する領域を特定して表示手段に拡大して表示すると共に、選択されたボタン配置パターン以外に選択可能なボタン配置パターンをユーザーに選択させることができる。従って、ユーザーは、誤入力した場合に、選択したボタン配置パターンに応じて、誤入力した被選択ボタンを所定位置に含むボタンの領域が拡大された画像を視認できると共に、選択されたボタン配置パターン以外に選択可能なボタン配置パターンも選択できるため、所望のボタンを正確に押下できる。
【０００８】
［適用例２］
上記適用例にかかる情報入力装置において、前記変更可能パターン選択手段で前記選択可能なボタン配置パターンの中から第２のボタン配置パターンが選択された場合、前記拡大範囲抽出手段は、前記記憶情報を参照することにより、前記第２のボタン配置パターンに応じて前記ボタンを拡大する第２の範囲を抽出し、前記拡大領域特定手段は、前記第２の範囲に基づいて、前記複数のボタンの中から第２の対象領域を特定し、特定した前記第２の対象領域を前記表示手段に表示されている前記対象領域に替えて拡大して表示させることが好ましい。
【０００９】
このような構成によれば、変更可能パターン選択手段で第２のボタン配置パターンが選択された場合、表示手段に表示されている対象領域に替えて、第２のボタン配置パターンに対応する第２の対象領域が表示されるため、所望のボタンを拡大して表示させることができる。
【００１０】
［適用例３］
上記適用例にかかる情報入力装置において、前記記憶情報は、前記被選択ボタンが配置された位置に応じて選択可能な前記ボタン配置パターンと、前記ボタン配置パターンに対して前記変更可能パターン選択手段で選択可能な前記第２のボタン配置パターンへの移動方向と、を含んでも良い。
【００１１】
［適用例４］
本適用例にかかる情報入力方法は、表示手段に複数のボタンを表示し、前記表示手段に配設された位置座標検知手段で指示位置を検知することにより、指示された前記ボタンに対応する情報を入力する情報入力方法であって、前記複数のボタンの中から選択された被選択ボタンが指示されることで入力された入力情報に対して誤入力を判定する誤入力判定工程と、前記誤入力判定工程で誤入力を判定した場合に、前記被選択ボタンを所定位置に含む複数のボタン配置パターンの中から、１つのボタン配置パターンをユーザーに選択させるパターン選択工程と、前記被選択ボタンを起点として一定方向に含まれる前記ボタンに関する情報が記憶された記憶情報を参照することにより、前記パターン選択工程で選択された前記ボタン配置パターンに応じて前記ボタンを拡大する範囲を抽出する拡大範囲抽出工程と、前記拡大範囲抽出工程で抽出した前記範囲に基づいて、前記複数のボタンの中から対象領域を特定し、特定した前記対象領域を前記表示手段に拡大して表示させる拡大領域特定工程と、前記記憶情報に基づいて、前記パターン選択工程で選択された前記１つのボタン配置パターン以外に選択可能なボタン配置パターンをユーザーに選択させる変更可能パターン選択工程と、を備えることを特徴とする。
【００１２】
このような方法によれば、入力された情報を誤入力と判定した場合、押下された被選択ボタンが所定位置に含まれるボタン配置パターンをユーザーに選択させ、ユーザーが選択したボタン配置パターンと、被選択ボタンを起点として一定方向に含まれるボタンに関する記憶情報を参照することにより、ユーザーが選択したボタン配置パターンに応じて拡大する範囲を抽出し、抽出した範囲に基づき、複数のボタンの中から拡大する領域を特定して表示手段に拡大して表示すると共に、選択されたボタン配置パターン以外に選択可能なボタン配置パターンをユーザーに選択させることができる。従って、ユーザーは、誤入力した場合に、選択したボタン配置パターンに応じて、誤入力した被選択ボタンを所定位置に含むボタンの領域が拡大された画像を視認できると共に、選択されたボタン配置パターン以外に選択可能なボタン配置パターンも選択できるため、所望のボタンを正確に押下できる。
【図面の簡単な説明】
【００１３】
【図１】本発明の実施形態に係る情報入力装置の機能構成を示すブロック図。
【図２】本発明の実施形態に係る情報入力装置のハードウェア構成を示す図。
【図３】タッチパネル入力装置の構造を示す図。
【図４】初期画面を示す図。
【図５】配置パターン選択画面を示す図。
【図６】パターンテーブルを示す図。
【図７】キー拡大表示画面を示す図。
【図８】本発明の実施形態に係る情報入力装置における処理の流れを示すフローチャート。
【発明を実施するための形態】
【００１４】
以下、情報入力装置について図面を参照して説明する。
【００１５】
（実施形態）
図１は、情報入力装置５の機能構成を示すブロック図である。この情報入力装置５は、表示手段１０、情報入力手段２０、入力終了判定手段２２、誤入力判定手段２４、初期パターン選択手段３０、変更可能パターン選択手段４０、拡大範囲抽出手段５０、パターン記憶手段５５および拡大領域特定手段６０を備える。尚、各機能部は、後述するハードウェアとソフトウェアとが協働することにより、各機能を実現している。本実施形態では、この情報入力装置５は、例えば、プリンターやコピー装置等の情報処理装置の操作パネルに組み込まれ、ユーザーが指を押下（タッチ）することにより、タッチした位置に応じた指示を入力するユーザーインターフェイス機能を提供する。
図２は、情報入力装置５のハードウェア構成を示す図である。この情報入力装置５のハードウェアは、タッチパネル１５とＬＣＤ（Ｌｉｑｕｉｄ  Ｃｒｙｓｔａｌ  Ｄｉｓｐｌａｙ）１４で構成されるタッチパネル入力装置１１、ＣＰＵ（Ｃｅｎｔｒａｌ  Ｐｒｏｃｅｓｓｉｎｇ  Ｕｎｉｔ）８０、記憶部８５、ＬＣＤ制御部９０およびタッチパネル制御部９５を備える。
【００１６】
図３は、タッチパネル入力装置１１の構造を示す図である。周知のように、画像を表示するＬＣＤ１４の表面には、所定の位置関係を持って透明なタッチパネル１５が配設されている。タッチパネル１５の表面には、多数本のＸ軸電極線１６が横方向に平行に設けられ、Ｙ軸電極線１７が縦方向に平行に設けられている。Ｘ軸電極線１６とＹ軸電極線１７は、それらに指でタッチすると電圧降下が生じ、電圧降下が生じたＸ軸電極線１６、Ｙ軸電極線１７の位置に基づいて、タッチパネル１５のどの位置に指がタッチしているかを検知する。例えば、Ｘ軸電極線１６とＹ軸電極線１７のそれぞれ３本に電圧降下が生じている場合、それぞれ中心部の電極線の交点を指のタッチ位置とする。
尚、本実施形態のタッチパネルは、上記したマトリックススイッチ方式に限定されるものではなく、抵抗膜方式、表面弾性波形式、赤外線方式、電磁誘導波方式および静電容量方式等の種々の方式を採用できる。
【００１７】
上述のように、この情報入力装置５はタッチパネル１５を介してユーザーが情報を入力するための装置である。本実施形態では、ＣＰＵ８０の指令に応じて、ＬＣＤ制御部９０は、情報入力手段２０、初期パターン選択手段３０および変更可能パターン選択手段４０等のユーザーインターフェイス画面（ＵＩ画面）を、表示手段１０の一例であるＬＣＤ１４に描画する。ＬＣＤ１４に表示されたＵＩ画面の所望の領域をユーザーが指でタッチすることで、タッチパネル制御部９５は、位置座標検知手段としてのタッチパネル１５面上をタッチした位置座標を算出し、算出した位置座標をＣＰＵ８０に入力し、ＣＰＵ８０は位置座標に応じた機能を実行する。
【００１８】
次に、情報入力装置５の各機能部の詳細を図１に基づいて説明する。情報入力手段２０は、ユーザーが情報を入力するための入力手段であり、本実施形態では図４に示すように、ユーザーが文字を入力するためのボタン群である文字入力キー１４０が該当する。この図４は、タッチパネル入力装置１１の表示領域に最初に表示される初期画面１００を示し、文字入力キー１４０は、初期画面１００の中央部のキー入力領域１１０に配置されている。本実施形態では、文字入力キー１４０は、アルファベットと特殊記号に対応し、それぞれのキーには、表示された文字や記号が関連付けられている。
また、初期画面１００においてキー入力領域１１０の上部には、文字入力キー１４０により入力された文字を順次表示する表示領域１１５が配置されている。また、初期画面１００においてキー入力領域１１０の右部には、削除キー１２０と確定キー１２５が配置されている。尚、図４では、文字入力キー１４０のうち、「Ｍ」キー、「Ｒ」キー、「Ｎ」キーおよび「Ｓ」キーの略中心部がユーザーによりタッチされたタッチ領域１３０を示すと共に、この場合は、誤入力キーとして「Ｎ」キーがタッチされたとして、表示領域１１５に表示される文字列の最後に「Ｎ」が表示されている。
【００１９】
図１に戻り、誤入力判定手段２４は、ユーザーによる誤入力を判定する。この誤入力判定手段２４は、本実施形態では、初期画面１００における削除キー１２０が該当し、ユーザーが削除キー１２０をタッチすることで、文字入力キー１４０により最後に入力され表示領域１１５に表示されている文字（Ｎ）が削除され、この文字（Ｎ）が誤入力であると判定される。この誤入力判定手段２４は、誤入力を判定した場合、誤入力判定に関する情報を初期パターン選択手段３０に送る。尚、誤入力判定手段２４は、削除キー１２０に限定されず、「Ｄｅｌｅｔｅ」キーや、「ＢａｃｋＳｐａｃｅ」キーも想定できる。
入力終了判定手段２２は、ユーザーによる入力終了を判定する。この入力終了判定手段２２は、本実施形態では、初期画面１００における確定キー１２５が該当し、ユーザーが確定キー１２５をタッチすることで、ユーザーにより入力された文字が確定され、次の工程に遷移する。また、入力終了判定手段２２は、入力を確定する「Ｅｎｔｅｒ」キーでも良い。
【００２０】
初期パターン選択手段３０は、拡大するキーの配置パターン（ボタン配置パターン）をユーザーにより選択させるための選択手段であり、本実施形態では、図５に示すような配置パターン選択画面１０２が該当する。この配置パターン選択画面１０２は、誤入力判定に関する情報が誤入力判定手段２４から送られた場合、初期画面１００に替えてタッチパネル入力装置１１の表示領域に表示される。この配置パターン選択画面１０２には、選択可能なキーの配置パターン１５０Ａ，１５０Ｂ，１５０Ｃ，１５０Ｄが表示され、ユーザーは何れかをタッチすることで確定される。確定された配置パターンに関する情報は、拡大範囲抽出手段５０に送られる。尚、本実施形態では、初期画面１００において誤入力された「Ｎ」キーは、選択可能なキーの配置パターン１５０Ａ，１５０Ｂ，１５０Ｃ，１５０Ｄにおいて他と識別可能に表示され、４つのキーの中で「Ｎ」キーを所定の位置に含む４パターンが選択可能なパターンとして表示される。この場合、所定の位置は、右下、右上、左下および左上である。尚、各パターンを構成するキーは、４キーには限定されず、構成するキーの数に応じて選択可能なパターンが異なっても良い。また、配置パターン選択画面１０２の右下部には初期画面表示キー１５５が表示され、ユーザーが初期画面表示キー１５５をタッチした場合、配置パターン選択画面１０２に替えて、全ての文字入力キー１４０を表示する初期画面１００がタッチパネル入力装置１１の表示領域に表示される。
【００２１】
拡大範囲抽出手段５０は、初期パターン選択手段３０で選択された配置パターン、または変更可能パターン選択手段４０で選択された配置パターンに応じて、文字入力キー１４０の中から拡大する拡大範囲を、パターン記憶手段５５に記憶されたパターンテーブルを参照して抽出する。パターン記憶手段５５には、タッチされたボタンの特定方向に対する周辺キーの配置パターンを示すパターンテーブル（図６）が予め記憶されている。例えば、誤入力キーの位置がキー入力領域１１０の左端上部である場合、図６に示すように、誤入力キーが配置された位置に応じて選択可能なボタン配置パターンを示す有効エリアパターンは、左上に誤入力キーが配置された１パターンのみ有効であることを示している。また、拡大範囲抽出手段５０が抽出した拡大範囲に関する情報は、拡大領域特定手段６０に送られる。また、タッチされたボタンの特定方向に対する周辺キーの配置パターンは、必要に応じて変更可能パターン選択手段４０に参照される。
拡大領域特定手段６０は、拡大範囲抽出手段５０から送られる拡大範囲に関する情報に基づいて、キー入力領域１１０の中から拡大表示する領域を特定し、特定した領域の画像を拡大して表示手段１０に選択可能に表示させる。例えば、図５において、ユーザーが配置パターン１５０Ｂを選択した場合、拡大範囲抽出手段５０は、選択された配置パターン１５０Ｂに対応する周辺キーの配置パターンを取得し、拡大領域特定手段６０は、取得した周辺キーの配置パターンに対応した領域を特定する。この場合、「Ｎ」キーを右上に配置し、「Ｎ」キーとそれぞれ近接する「Ｓ」キーを右下に配置し、「Ｍ」キーを左上に配置し、「Ｒ」キーを左下に配置した領域が特定される。
【００２２】
変更可能パターン選択手段４０は、パターンテーブルに基づいて、初期パターン選択手段３０で選択された配置パターン以外の選択可能な配置パターンを、ユーザーにより選択させるための選択手段である。ここで、選択可能な配置パターンは、図６のパターンテーブルに示すように、誤入力された「Ｎ」キーの文字入力キー１４０における位置と、初期パターン選択手段３０で選択された配置パターンにおける「Ｎ」キーの位置に基づいて決定される。例えば、「Ｎ」キーの場合、キー位置は端部ではないので中央に分類される。また、有効エリアパターンは、右上部が誤入力キーを示す配置パターン１５０Ｂであるため、図６に示すように、配置パターン１５０Ｂに対して選択可能な配置パターン１５０Ａ，１５０Ｄへの移動方向、即ち、上への表示移動と右への表示移動が有効となる。
この変更可能パターン選択手段４０において、初期パターン選択手段３０で選択された配置パターンと異なる配置パターン（第２の配置パターン）がユーザーにより選択された場合、第２の配置パターンの情報は、拡大範囲抽出手段５０に送られる。更に、第２の配置パターンに基づいて、拡大領域特定手段６０は、拡大表示する領域を特定し、特定した領域を表示手段１０に表示させる。
【００２３】
図７は、拡大領域特定手段６０が特定した領域を表示手段１０に表示したキー拡大表示画面１０４である。このキー拡大表示画面１０４の中央部には、拡大キー入力領域１６０が表示され、拡大キー入力領域１６０の内部には、拡大領域特定手段６０が特定した領域、即ち、「Ｎ」キー、「Ｓ」キー、「Ｍ」キーおよび「Ｒ」キーと、これらのキーの描画間隔が拡大され、選択可能に表示される。
また、キー拡大表示画面１０４において、拡大キー入力領域１６０の周囲には、変更可能パターン選択手段４０が矢印ボタン１７０，１７２，１７４，１７６で表示される。この場合、矢印ボタン１７０，１７２，１７４，１７６は、選択可能な配置パターンと対応している。本実施形態では、前述したように、上方向と右方向への表示移動が有効であるため、上方向を示す矢印ボタン１７０と右方向を示す矢印ボタン１７２が選択可能に表示される。他方で、上記した２つのパターン以外のパターンでは「Ｎ」キーが配置されなくなるため、残りの矢印ボタン１７４，１７６は、選択不可能に表示されても良く、非表示であっても良い。尚、本実施形態では、方向を示す矢印ボタン１７０，１７２，１７４，１７６を採用したが、これに限定されず、「上」、「下」、「右」および「左」のような文字表記ボタンでも良い。
【００２４】
ここで、上方向を示す矢印ボタン１７０がタッチされた場合、拡大キー入力領域１６０には、「Ｎ」キーが右下に配置され、「Ｍ」キーが左下に配置され、「Ｉ」が右上に配置され、「Ｈ」が左上に配置されるパターン（配置パターン１５０Ａ）が表示される。この場合、下方向を示す矢印ボタン１７４と右方向を示す矢印ボタン１７２が選択可能に表示される。また、右方向を示す矢印ボタン１７２がタッチされた場合、拡大キー入力領域１６０には、「Ｎ」キーが左上に配置され、「Ｓ」が左下に配置され、「Ｏ」が右上に配置され、「Ｔ」が右下に配置されるパターン（配置パターン１５０Ｄ）が表示される。この場合、上方向を示す矢印ボタン１７０と左方向を示す矢印ボタン１７６が選択可能に表示される。
また、キー拡大表示画面１０４の右下部には初期画面表示キー１８０が表示され、ユーザーが初期画面表示キー１８０をタッチした場合、キー拡大表示画面１０４に替えて、全ての文字入力キー１４０を表示する初期画面１００がタッチパネル入力装置１１の表示領域に表示される。また、所定時間に渡り、何れのキーもタッチされない場合、初期画面表示キー１８０がタッチされたとして処理されても良い。
【００２５】
図８は、情報入力装置５における情報入力処理の流れを示すフローチャートである。情報入力装置５の処理が開始されると、最初に、ＣＰＵ８０は、初期画面１００をタッチパネル入力装置１１の表示領域に表示する（ステップＳ２００）。続いて、ＣＰＵ８０は、何らかのキーがユーザーによりタッチされたか、否かを判定し（ステップＳ２０２）、何れのキーもタッチされていない場合（ステップＳ２０２でＮｏ）、この工程を繰り返す。他方で、何らかのキーがタッチされたと判定した場合（ステップＳ２０２でＹｅｓ）、ＣＰＵ８０は、タッチされたキーが文字入力キー１４０か、否かを判定する（ステップＳ２０４）。
ここで、タッチされたキーが文字入力キー１４０であると判定した場合（ステップＳ２０４でＹｅｓ）、ＣＰＵ８０は、タッチされた文字入力キー１４０に対応する文字を表示領域１１５に表示する表示文字列の最後に加え（ステップＳ２０６）、初期画面１００を表示する工程（ステップＳ２００）に戻る。他方で、タッチされたキーが文字入力キー１４０でないと判定した場合（ステップＳ２０４でＮｏ）、ＣＰＵ８０は、タッチされたキーが削除キー１２０か、否かを判定する（ステップＳ２０８）＜誤入力判定工程＞。
【００２６】
ここで、タッチされたキーが削除キー１２０ではないと判定した場合（ステップＳ２０８でＮｏ）、ＣＰＵ８０は、タッチされたキーが確定キー１２５であると判定し、一連の情報入力処理を終了し、次の処理工程に進む。
他方で、タッチされたキーが削除キー１２０であると判定した場合（ステップＳ２０８でＹｅｓ）、ＣＰＵ８０は、配置パターン選択画面１０２をタッチパネル入力装置１１の表示領域に表示する（ステップＳ２１０）＜パターン選択工程＞。続いて、ＣＰＵ８０は、何らかのキーがユーザーによりタッチされたか、否かを判定し（ステップＳ２１２）、何れのキーもタッチされていない場合（ステップＳ２１２でＮｏ）、この工程を繰り返す。他方で、何らかのキーがタッチされたと判定した場合（ステップＳ２１２でＹｅｓ）、ＣＰＵ８０は、何れかの配置パターンが選択されたか、否かを判定する（ステップＳ２１４）。
【００２７】
ここで、何れかの配置パターンも選択されないと判定した場合（ステップＳ２１４でＮｏ）、ＣＰＵ８０は、初期画面表示キー１５５がタッチされたと判定し、初期画面１００を表示する工程（ステップＳ２００）に戻る。他方で、何れかの配置パターンが選択されたと判定した場合（ステップＳ２１４でＹｅｓ）、ＣＰＵ８０は、キー拡大表示画面１０４をタッチパネル入力装置１１の表示領域に表示する（ステップＳ２１６）＜拡大範囲抽出工程と拡大領域特定工程＞。
続いて、ＣＰＵ８０は、何らかのキーがユーザーによりタッチされたか、否かを判定し（ステップＳ２１８）、何れのキーもタッチされていない場合（ステップＳ２１８でＮｏ）、この工程を繰り返す。他方で、何らかのキーがタッチされたと判定した場合（ステップＳ２１８でＹｅｓ）、ＣＰＵ８０は、タッチされたキーが文字入力キー１４０か、否かを判定する（ステップＳ２２０）。
【００２８】
ここで、タッチされたキーが文字入力キー１４０であると判定した場合（ステップＳ２２０でＹｅｓ）、ＣＰＵ８０は、タッチされた文字入力キー１４０に対応する文字を表示領域１１５に表示する表示文字列の削除文字に替えて最後に加え（ステップＳ２２２）、初期画面１００を表示する工程（ステップＳ２００）に戻る。他方で、タッチされたキーが文字入力キー１４０でないと判定した場合（ステップＳ２２０でＮｏ）、ＣＰＵ８０は、タッチされたキーが選択可能な矢印ボタン１７０，１７２の方向キーか、否かを判定する（ステップＳ２２４）。
ここで、方向キーがタッチされたと判定した場合（ステップＳ２２４でＹｅｓ）、ＣＰＵ８０は、タッチされた方向キーに応じたキー拡大表示画面１０４を生成し（ステップＳ２２６）＜変更可能パターン選択工程＞、生成したキー拡大表示画面１０４をタッチパネル入力装置１１の表示領域に表示する工程（ステップＳ２１６）に戻る。
他方で、方向キーがタッチされないと判定した場合（ステップＳ２２４でＮｏ）、ＣＰＵ８０は、初期画面表示キー１８０がタッチされたと判定し、初期画面１００を表示する工程（ステップＳ２００）に戻る。
【００２９】
以上述べた実施形態によれば、文字情報を誤入力した場合、情報入力装置５は、誤入力したキーを含み選択された方向の周辺キーを拡大して表示手段１０に表示すると共に、選択可能な方向を表示手段１０に更に表示し、異なる方向が選択された場合は、誤入力したキーを含み次に選択された方向の周辺キーを拡大して表示手段１０に表示する。従って、ユーザーは、所望のキーを含む周辺のキーと、これらのキーの描画間隔が拡大して表示されるため、表示したキーの中から所望のキーを容易かつ確実にタッチできる。
【００３０】
本発明の実施形態について、図面を参照して説明したが、具体的な構成は、この実施形態に限られるものではなく、本発明の要旨を逸脱しない範囲の設計変更等も含まれる。例えば、初期パターン選択手段３０におけるボタン配置パターンは、予めユーザーにより選択され、配置パターン選択画面１０２は表示されない様態でも良い。
【符号の説明】
【００３１】
５…情報入力装置、１０…表示手段、１１…タッチパネル入力装置、１４…ＬＣＤ、１５…タッチパネル、１６…Ｘ軸電極線、１７…Ｙ軸電極線、２０…情報入力手段、２２…入力終了判定手段、２４…誤入力判定手段、３０…初期パターン選択手段、４０…変更可能パターン選択手段、５０…拡大範囲抽出手段、５５…パターン記憶手段、６０…拡大領域特定手段、８０…ＣＰＵ、８５…記憶部、９０…ＬＣＤ制御部、９５…タッチパネル制御部、１００…初期画面、１０２…配置パターン選択画面、１０４…キー拡大表示画面、１１０…キー入力領域、１１５…表示領域、１２０…削除キー、１２５…確定キー、１３０…タッチ領域、１４０…文字入力キー、１５０Ａ，１５０Ｂ，１５０Ｃ，１５０Ｄ…配置パターン、１５５…初期画面表示キー、１６０…拡大キー入力領域、１７０，１７２，１７４，１７６…矢印ボタン、１８０…初期画面表示キー。
【図１】
2011018200.tif 000003
【図２】
2011018200.tif 000004
【図３】
2011018200.tif 000005
【図４】
2011018200.tif 000006
【図５】
2011018200.tif 000007
【図６】
2011018200.tif 000008
【図７】
2011018200.tif 000009
【図８】
2011018200.tif 000010